(57)【要約】  表示装置は、２次元配置されると共に、各々が１または複数の発光素子を含む複数の画素と、複数の画素を時分割で発光駆動する駆動回路とを備え、複数の画素は、１フレーム期間において所定の発光順序で発光する２以上の画素の組を発光ユニットとして複数有し、複数の発光ユニットは、発光順序が互いに異なる２種以上の発光ユニットを含むものである。
2016088467.tif 000002
【特許請求の範囲】
【請求項１】
２次元配置されると共に、各々が１または複数の発光素子を含む複数の画素と、
前記複数の画素を時分割で発光駆動する駆動回路と
を備え、
前記複数の画素は、１フレーム期間において所定の発光順序で発光する２以上の画素の組を発光ユニットとして複数有し、
前記複数の発光ユニットは、前記発光順序が互いに異なる２種以上の発光ユニットを含む
表示装置。
【請求項２】
前記２種以上の発光ユニットをそれぞれ、１または複数組み合わせてなる画素配列を単位配列として、前記複数の画素が２次元配置されている
請求項１に記載の表示装置。
【請求項３】
前記複数の発光ユニットはそれぞれ、２つの画素の組からなる
請求項２に記載の表示装置。
【請求項４】
前記複数の発光ユニットはそれぞれ、行方向または列方向に沿って隣接して配置された第１および第２の画素を含み、
前記単位配列は、前記第１および第２の画素の発光順序が互いに異なる第１および第２の発光ユニットを複数組み合わせてなる４行４列の画素配列である
請求項３に記載の表示装置。
【請求項５】
前記複数の発光ユニットはそれぞれ、２行２列で配置された４つの画素の組からなる
請求項２に記載の表示装置。
【請求項６】
前記複数の発光ユニットはそれぞれ、２行２列で配置された第１ないし第４の画素を含み、
前記単位配列は、前記第１ないし第４の画素の発光順序が互いに異なる第１ないし第４の発光ユニットを組み合わせてなる４行４列の画素配列である
請求項５に記載の表示装置。
【請求項７】
前記複数の発光ユニットはそれぞれ、２行２列で配置された第１ないし第４の画素を含み、
前記単位配列は、前記第１ないし第４の画素の発光順序が互いに異なる第１および第２の発光ユニットを組み合わせてなる２行４列の画素配列である
請求項５に記載の表示装置。
【請求項８】
前記画素は、前記発光素子に駆動電流を供給するための画素回路を含み、
前記発光ユニットを構成する２以上の画素の組が１つの前記画素回路を共有する
請求項１に記載の表示装置。
【請求項９】
前記複数の画素はそれぞれ、赤色光を発する発光素子と、緑色光を発する発光素子と、青色光を発する発光素子とを含む
請求項１に記載の表示装置。
【請求項１０】
２次元配置されると共に、各々が１または複数の発光素子を含む複数の画素と、
前記複数の画素を時分割で発光駆動する駆動回路と
を備え、
前記複数の画素は、１フレーム期間において所定の発光順序で発光する２以上の画素の組を発光ユニットとして複数有し、
前記複数の発光ユニットは、前記発光順序が互いに異なる２種以上の発光ユニットを含む
表示装置を備えた電子機器。
【発明の詳細な説明】
【技術分野】
【０００１】
本開示は、発光素子を含む画素を時分割で発光駆動する表示装置およびそれを備えた電子機器に関する。
【背景技術】
【０００２】
様々な電子機器に用いられる表示装置の分野では、画素の発光素子として、例えば有機ＥＬ(electro luminescence)素子などの自発光素子が注目を集めている。このような自発光素子を用いた表示装置では、光源（バックライト）が不要なので、光源を必要とする液晶表示装置などに比べて、軽量化、薄型化および高輝度化を実現することができる。【０００３】
このような表示装置の駆動方式としては、例えばアクティブマトリクス駆動により、１フレーム期間にわたって全画素を一括して発光させ、画像を表示する方式が一般的である。これに対し、近年では、全画素をいくつかのグループに分け、１フレームの映像データを各グループに分配すると共に、各グループの発光時間をずらして順次発光させる方式（いわゆる時分割駆動方式）を用いた表示装置が提案されている（例えば、特許文献１）。この時分割駆動方式により、一括発光方式に比べて画素回路を削減することができる。
【先行技術文献】
【特許文献】
【０００４】
【特許文献１】特開２０１０−２７９４３号公報
【発明の概要】
【０００５】
しかしながら、時分割発光方式を用いた表示装置では、特定の画像を表示した場合に、局所的に明るい（あるいは暗い）部分が視認されることがある。表示品位の向上が望まれている。
【０００６】
したがって、時分割駆動による画像表示において表示品位を高めることが可能な表示装置および電子機器を提供することが望ましい。
【０００７】
本開示の一実施の形態の表示装置は、２次元配置されると共に、各々が１または複数の発光素子を含む複数の画素と、複数の画素を時分割で発光駆動する駆動回路とを備え、複数の画素は、１フレーム期間において所定の発光順序で発光する２以上の画素の組を発光ユニットとして複数有し、複数の発光ユニットは、発光順序が互いに異なる２種以上の発光ユニットを含むものである。
【０００８】
本開示の一実施の形態の電子機器は、上記本開示の一実施の形態の表示装置を備えたものである。
【０００９】
本開示の一実施の形態の表示装置および電子機器では、１フレーム期間において所定の順序で発光する２以上の画素の組が発光ユニットとして複数設けられ、これら複数の発光ユニットは、発光順序が互いに異なる２種以上の発光ユニットを含む。これにより、特定の画像を時分割駆動で表示した場合にも、サブフレーム間において、明るい部分（表示部分，発光部分）同士または暗い部分（非表示部分，消灯部分）同士が、広範囲において近接して表示されにくくなる。
【００１０】
本開示の一実施の形態の表示装置および電子機器によれば、１フレーム期間において所定の順序で発光する２以上の画素の組を発光ユニットとして複数設け、これら複数の発光ユニットが、発光順序の異なる２種以上の発光ユニットを含む。ここで、特定の画像を時分割駆動で表示した場合、仮に、サブフレーム間において明るい部分同士または暗い部分同士が広範囲にわたって近接して表示されると、ユーザの視線が特定の方向に沿って動いたときなどに、それらの部分同士が重なり、局所的に明るい部分または暗い部分となって視認される。これに対し、複数の発光ユニットが、発光順序の異なる２種以上の発光ユニットを含むことで、特定の画像を時分割駆動で表示する場合にも、サブフレーム間において明るい部分同士または暗い部分同士が、広範囲において近接して表示されにくくなる。この結果、局所的に明るい部分または暗い部分として視認されることを抑制できる。よって、時分割駆動による画像表示において表示品位を高めることが可能となる。
【００１１】
尚、上記内容は本開示の一例である。本開示の効果は、上述したものに限らず、他の異なる効果であってもよいし、更に他の効果を含んでいてもよい。
【図面の簡単な説明】
【００１２】
【図１】本開示の第１の実施の形態に係る表示装置の概略構成図である。
【図２Ａ】図１に示した表示装置の画素配列と時分割駆動における発光順序を説明するための模式図である。
【図２Ｂ】図２Ａに示した単位配列の詳細を説明するための模式図である。
【図３】図１に示した画素の回路構成の一例を表す模式図である。
【図４】図２Ａに示した画素配列を用いた時分割発光動作を説明するための模式図である。
【図５】一括発光動作を説明するための模式図である。
【図６】図４に示した時分割発光によりベタ画像（全面発光画像）を表示する場合の各サブフレームの画像を説明するための模式図である。
【図７Ａ】比較例１に係る表示装置の画素配列と時分割駆動における発光順序を説明するための模式図である。
【図７Ｂ】図７Ａに示した発光ユニット（単位配列）の詳細を説明するための模式図である。
【図８】図７Ａに示した画素の回路構成の一例を表す模式図である。
【図９】図７Ａに示した画素配列を用いた時分割発光動作を説明するための模式図である。
【図１０】図９に示した時分割発光によりベタ画像（全面発光画像）を表示する場合の各サブフレームの画像を説明するための模式図である。
【図１１】図９に示した時分割発光により、特定の画像（Ｃｋ１）を表示する場合の各サブフレームの画像を説明するための模式図である。
【図１２】図４に示した時分割発光により、特定の画像（Ｃｋ１）を表示する場合の各サブフレームの画像を説明するための模式図である。
【図１３】図４に示した時分割発光により、特定の画像（Ｃｋ２）を表示する場合の各サブフレームの画像を説明するための模式図である。
【図１４Ａ】本開示の第２の実施の形態に係る表示装置の画素配列と時分割駆動における発光順序を説明するための模式図である。
【図１４Ｂ】図１４Ａに示した単位配列の詳細を説明するための模式図である。
【図１５】図１４Ａに示した画素配列を用いた時分割発光動作を説明するための模式図である。
【図１６】図１５に示した時分割発光によりベタ画像（全面発光画像）を表示する場合の各サブフレームの画像を説明するための模式図である。
【図１７Ａ】比較例２に係る表示装置の画素配列と時分割駆動における発光順序を説明するための模式図である。
【図１７Ｂ】図１７Ａに示した発光ユニット（単位配列）の詳細を説明するための模式図である。
【図１８】図１７Ａに示した画素配列を用いた時分割発光動作を説明するための模式図である。
【図１９】図１８に示した時分割発光によりベタ画像（全面発光画像）を表示する場合の各サブフレームの画像を説明するための模式図である。
【図２０】図１８に示した時分割発光により、特定の画像（Ｃｋ３）を表示する場合の各サブフレームの画像を説明するための模式図である。
【図２１】図１５に示した時分割発光により、特定の画像（Ｃｋ３）を表示する場合の各サブフレームの画像を説明するための模式図である。
【図２２】図１５に示した時分割発光により、特定の画像（Ｃｋ４）を表示する場合の各サブフレームの画像を説明するための模式図である。
【図２３Ａ】本開示の第３の実施の形態に係る表示装置の画素配列と時分割駆動における発光順序を説明するための模式図である。
【図２３Ｂ】図２３Ａに示した単位配列の詳細を説明するための模式図である。
【図２４】図２３Ａに示した画素配列を用いた時分割発光動作を説明するための模式図である。
【図２５】図２４に示した時分割発光によりベタ画像（全面発光画像）を表示する場合の各サブフレームの画像を説明するための模式図である。
【図２６】図２４に示した時分割発光により、特定の画像（Ｃｋ３）を表示する場合の各サブフレームの画像を説明するための模式図である。
【図２７】適用例の外観を表す斜視図である。
【発明を実施するための形態】
【００１３】
以下、本開示の実施の形態について、図面を参照して詳細に説明する。なお、説明は以下の順序で行う。
１．第１の実施の形態（時分割発光の発光ユニットを２画素構成とし、２種類の発光ユニットの組み合わせにより４×４の画素を単位配列とした表示装置の例）
２．第２の実施の形態（時分割発光の発光ユニットを４画素構成とし、４種類の発光ユニットの組み合わせにより４×４の画素を単位配列とした表示装置の例）
３．第３の実施の形態（時分割発光の発光ユニットを４画素構成とし、２種類の発光ユニットの組み合わせにより２×４の画素を単位配列とした表示装置の例）
４．適用例（電子機器の例）
【００１４】
＜実施の形態＞
[構成]
図１は、本開示の一実施の形態に係る表示装置１の概略構成を表したものである。この表示装置１は、表示パネル１０と、外部から入力された映像信号２０Ａおよび同期信号２０Ｂに基づいて表示パネル１０を駆動する駆動回路２０とを備えている。駆動回路２０は、例えば、タイミング生成回路２１、映像信号処理回路２２、信号線駆動回路２３、走査線駆動回路２４および電源回路２５を有している。
【００１５】
（表示パネル１０）
表示パネル１０は、表示領域１０Ａ内に複数の画素Ｐが２次元配置されたものである。この表示パネル１０は、駆動回路２０によって各画素Ｐがアクティブマトリクス駆動されることにより、外部から入力された映像信号２０Ａに基づく画像を表示するものである。本実施の形態では、これらの複数の画素Ｐが１フレーム期間を分割したサブフレーム期間に発光駆動（時分割発光駆動）される。画素Ｐは、２以上の画素Ｐの組（後述の発光ユニットＵ）毎に、１フレーム期間において所定の発光順序で駆動される。
【００１６】
図２Ａは、本実施の形態の画素配列と時分割発光における発光順序を模式的に示したものである。図２Ｂは、単位配列の詳細を示したものである。これらの図において、画素内に示した数字は、１フレーム期間内の発光順序を表している。「１」は、１フレーム期間内の１番目（１つ目のサブフレームで）、「２」は、１フレーム期間内の２番目（２つ目のサブフレームで）、それぞれ発光駆動されることを表している。
【００１７】
本実施の形態では、発光ユニットＵが２画素構成であり、即ち１フレーム期間が２分割され、発光ユニットＵ内の２つの画素が所定の順序で発光するように駆動される。例えば、列方向（上下方向）において隣接する２つの画素（画素Ｐ１，Ｐ２）を、発光ユニットＵとして、この発光ユニットＵが複数配置されている。これらの発光ユニットＵは、１フレーム期間における画素Ｐ１，Ｐ２の発光順序が互いに異なる複数種類の発光ユニットを含んでいる。ここでは、図２Ｂに示したように、各発光ユニットＵは、画素Ｐ１，Ｐ２の順に発光駆動される発光ユニット（発光ユニットＵ１１）と、画素Ｐ２，Ｐ１の順に発光駆動される発光ユニット（発光ユニットＵ１２）とのうちのいずれかからなる。尚、発光ユニットＵを構成する画素Ｐ１，Ｐ２は、行方向（左右方向）において隣接する２画素としてもよい。
【００１８】
本実施の形態の表示領域１０Ａでは、単位配列Ｇ１が繰り返し複数配置されている。単位配列Ｇ１は、発光ユニットＵ１１，Ｕ１２をそれぞれ、１または複数組み合わせて構成されている。一例としては、図２Ｂに示したように、単位配列Ｇ１は、発光ユニットＵ１１，Ｕ１２をそれぞれ４つずつ組み合わせて、４×４の画素からなる単位配列Ｇ１が構成されている。但し、単位配列Ｇ１は、この構成に限定されるものではなく、発光ユニットＵの種類（発光順序のパターン）およびそれらの組み合わせに応じて様々な構成をとりうる。また、発光ユニットＵの画素数、単位配列Ｇ１の画素数も例示したものに限定されず、表示パネル１０のサイズや精細度などに応じて適切なものが選択されればよい。
【００１９】
図３は、時分割で発光駆動される画素Ｐの回路構成の一例を表したものである。尚、図３では、図２Ｂに示した単位配列Ｇ１に対応する４×４の画素を示している。
【００２０】
各画素Ｐは、例えば、光源Ａ１（１０ｒ，１０ｇ，１０ｂ）と画素回路ＰＸＬＣとを有している。画素回路ＰＸＬＣは、発光ユニットＵ毎に設けられ、発光ユニットＵを構成する複数の画素（画素Ｐ１，Ｐ２）の間で共有されている。
【００２１】
光源Ａ１は、１または複数の発光素子を含むものである。発光素子は、例えば有機ＥＬ(electro luminescence）素子である。ここでは、光源Ａ１は、例えば赤色光（Ｒ），緑色光（Ｇ），青色光（Ｂ）をそれぞれ発する有機ＥＬ素子１０ｒ，１０ｇ，１０ｂを含む。但し、光源Ａ１に含まれる発光素子としては、有機ＥＬ素子の他にも、例えば無機ＥＬ素子あるいは発光ダイオード（ＬＥＤ）などが用いられてもよい。
【００２２】
画素回路ＰＸＬＣは、光源Ａ１の発光および消光を制御する（発光素子に流れる駆動電流を制御する）ものであり、例えば各種トランジスタおよび保持容量など（図示せず）を含むと共に、画素Ｐ１，Ｐ２のそれぞれの光源Ａ１のカソード端子との接続および非接続を切り替えるスイッチＳＷを含んで構成されている。光源Ａ１のカソード端子Ｅsと、スイッチＳＷの接点ａ，ｂとの接続の組み合わせを部分的に変えることにより、発光ユニットＵを構成する画素間で発光順序を異なるように構成することができる（発光ユニットＵ１１，Ｕ１２を形成することができる）。
【００２３】
この画素回路ＰＸＬＣは、発光ユニットＵを構成する複数の画素（ここでは、画素Ｐ１，Ｐ２）に対して１つ設けられている（画素Ｐ１，Ｐ２が画素回路ＰＸＬＣを共有する）。スイッチＳＷは、図示しないセレクタ回路から入力されるセレクタ信号（Ｖsel）によって制御される。この画素回路ＰＸＬＣには、図１に示した走査線ＷＳＬ、信号線ＤＴＬおよび電源線ＤＳＬを通じて、走査信号（Ｖon／Ｖoff）および映像信号（Ｖsig）などの各種制御信号が供給される。また、画素回路ＰＸＬＣには、電源電圧（ＶＤＤ１，ＶＤＤ２）および基準電位（Ｖref１，Ｖref２）が供給される。
【００２４】
表示パネル１０には、図１に示したように、画素Ｐの行方向に沿って延在する複数の走査線ＷＳＬと、列方向に沿って延在する複数の信号線ＤＴＬと、行方向に沿って延在する複数の電源線ＤＳＬとが設けられている。これらの走査線ＷＳＬ、信号線ＤＴＬおよび電源線ＤＳＬは、上記のように各画素Ｐ（発光ユニットＵ）に電気的に接続されている。走査線ＷＳＬは、発光ユニットＵを行ごとに選択する選択パルス（Ｖon／Ｖoff）を画素回路ＰＸＬＣに供給するものである。信号線ＤＴＬは、映像信号に応じた信号電位Ｖsigおよび基準電位Ｖref１，Ｖref２を、各画素Ｐへ供給するためのものである。電源線ＤＳＬは、電源電圧ＶＤＤ１，ＶＤＤ２を各画素Ｐに供給するためのものである。
【００２５】
（駆動回路２０）
次に、駆動回路２０について説明する。駆動回路２０は、上述したように、例えば、タイミング生成回路２１、映像信号処理回路２２、信号線駆動回路２３、走査線駆動回路２４および電源回路２５を有している。タイミング生成回路２１は、駆動回路２０内の各回路が連動して動作するように制御する。タイミング生成回路２１は、例えば、外部から入力された同期信号２０Ｂに応じて（同期して）、上述した各回路に対して制御信号２１Ａを出力する。駆動回路２０は、発光ユニットＵ毎に画素Ｐを時分割で発光駆動するように構成されている。
【００２６】
映像信号処理回路２２は、例えば、外部から入力されたデジタルの映像信号２０Ａに対して所定の補正を行い、それにより得られた映像信号２２Ａを信号線駆動回路２３に出力するものである。所定の補正としては、例えば、ガンマ補正や、オーバードライブ補正などが挙げられる。
【００２７】
信号線駆動回路２３は、例えば、制御信号２１Ａの入力に応じて（同期して）、映像信号処理回路２２から入力された映像信号２２Ａに対応するアナログの信号電位Ｖsigを、各信号線ＤＴＬに印加するものである。具体的には、信号線駆動回路２３は、走査線駆動回路２４により選択された画素Ｐ（あるいは発光ユニットＵ）へ、信号線ＤＴＬを介して信号電位Ｖsigを供給する。信号電位Ｖsigは、映像信号２０Ａに対応する電圧値となっている。但し、本実施の形態では、後述するように２以上の画素Ｐの組を発光ユニットＵとして発光駆動を行うことから、いわゆる市松模様状に（ドットが間引かれた状態で）発光する。このため、画素Ｐに供給される信号電位Ｖsigは、発光ユニットＵの配列に対応したものに変更しておく必要がある。
【００２８】
走査線駆動回路２４は、各走査線ＷＳＬに選択パルスを発光ユニットＵ毎に順次、出力する。走査線駆動回路２４は、例えば、制御信号２１Ａの入力に応じて、複数の走査線ＷＳＬを所定のシーケンスで選択することにより、信号電位Ｖsigの書き込みを所望の順番で実行させる。
【００２９】
[作用／効果]
次に、本実施の形態の表示装置１の発光動作（時分割発光動作）について説明する。図４は、単位配列Ｇ１を有する表示装置１の時分割発光動作を説明するための模式図であり、画素Ｐの発光状態および消灯状態を時系列で表している。図４において、「Ｂ１」は、１フレーム期間における１番目（前半）のサブフレーム期間、「Ｂ２」は２番目（後半）のサブフレーム期間を示す。
【００３０】
本実施の形態では、サブフレーム期間Ｂ１では、発光ユニットＵ１１において画素Ｐ１（上側の画素）を発光駆動し、画素Ｐ２（下側の画素）を非発光状態（消灯状態）とする。一方、発光ユニットＵ１２では、画素Ｐ２（下側の画素）を発光駆動し、画素Ｐ１（上側の画素）を非発光状態とする。続いて、サブフレーム期間Ｂ２では、発光ユニットＵ１１において画素Ｐ２（下側の画素）を発光駆動し、画素Ｐ１（上側の画素）を非発光状態とする。一方、発光ユニットＵ１２では、画素Ｐ１（上側の画素）を発光駆動し、画素Ｐ２（下側の画素）を非発光状態とする。
【００３１】
このような時分割発光駆動により、図５に示したような一括発光駆動を行う場合に比べ、画素回路ＰＸＬＣの削減、低消費電力化を実現することができる。図５は、１フレーム期間に１つの画像を表示することを示しており、画素Ｐ毎に線順次で発光駆動が行われる。
【００３２】
図６は、ベタ画像Ｃ１（全画面（全画素）発光画像）を、発光ユニットＵ１１，Ｕ１２を含む単位配列Ｇ１を用いた時分割駆動により表示する場合の、サブフレーム期間Ｂ１，Ｂ２の各表示画像を模式的に表したものである。このように、１フレーム期間にベタ画像Ｃ１を表示する場合、サブフレーム期間Ｂ１では、「１」が示された画素Ｐのみを選択的に発光させて構成された第１画像Ｃ１１が表示される。サブフレーム期間Ｂ２では、「２」が示された画素Ｐのみを選択的に発光させて構成された第２画像Ｃ１２が表示されることとなる。これらの２枚の第１画像Ｃ１１および第２画像Ｃ１２が、時間的に連続して表示されることで、ユーザには１枚の絵（ベタ画像Ｃ１）として視認される。
【００３３】
（比較例１）
ここで、本実施の形態の比較例（比較例１）について説明する。図７Ａは、比較例１に係る表示装置の画素配列と時分割発光における発光順序を表したものである。図７Ｂは、比較例１の発光ユニット（発光ユニットＵ100）を抜き出して示したものである。このように、比較例１では、本実施の形態と同様、２つの画素Ｐ１，Ｐ２により発光ユニットＵ100が構成されると共に、サブフレーム期間Ｂ１，Ｂ２にわたって時分割発光が行われる。但し、比較例１では、本実施の形態と異なり、画素Ｐ１，Ｐ２の発光順序が、全ての発光ユニットＵ100において同じとなっている。図８に、このような比較例１の画素の回路構成の一例を示す。発光ユニットＵ100内の等価回路構成については、本実施の形態（図３）と略同じであるが、比較例では、光源Ａ１のカソード端子Ｅsと、スイッチＳＷの接点ａ，ｂとの接続の組み合わせが、全ての発光ユニットＵ100において同じである。
【００３４】
図９は、比較例１の発光ユニットＵ100を有する表示装置の時分割発光動作を説明するための模式図であり、画素Ｐの発光状態および消灯状態を時系列で表している。このように、比較例１では、サブフレーム期間Ｂ１では、発光ユニットＵ100において画素Ｐ１（上側の画素）を発光駆動し、画素Ｐ２（下側の画素）を非発光状態（消灯状態）とする。続いて、サブフレーム期間Ｂ２では、発光ユニットＵ100において画素Ｐ２（下側の画素）を発光駆動し、画素Ｐ１（上側の画素）を非発光状態とする。
【００３５】
具体的には、まずサブフレーム期間Ｂ１において、図８に示した画素回路ＰＸＬＣに、行毎に（線順次で）、走査線ＷＳＬを通じてオン電位Ｖonが印加されることで、信号線ＤＴＬを通じて、信号電位Ｖsigが供給される。この後、画素回路ＰＸＬＣのスイッチＳＷが、セレクタ信号Ｖselに応じて、上側の画素Ｐ１を選択する。そして、画素Ｐ１の光源Ａ１の発光素子に駆動電流を流し、発光素子を駆動する。続いて、サブフレーム期間Ｂ２において、画素回路ＰＸＬＣに、行毎に（線順次で）、走査線ＷＳＬを通じてオン電位Ｖonが印加されることで、信号線ＤＴＬを通じて、信号電位Ｖsigが供給される。この後、画素回路ＰＸＬＣのスイッチＳＷが、セレクタ信号Ｖselに応じて、下側の画素Ｐ２を選択する。そして、画素Ｐ２の光源Ａ１の発光素子に駆動電流を流し、発光素子を駆動する。
【００３６】
図１０は、この比較例１の発光ユニットＵ100を用いた時分割駆動により、ベタ画像Ｃ１を表示する場合の、サブフレーム期間Ｂ１，Ｂ２の各表示画像を模式的に表したものである。このように、比較例１において、１フレーム期間にベタ画像Ｃ１を表示する場合、サブフレーム期間Ｂ１では、「１」が示された画素Ｐ（即ち全ての画素Ｐ１）のみを選択的に発光させて構成された第１画像Ｃ１０１が表示される。サブフレーム期間Ｂ２では、「２」が示された画素Ｐ（即ち全ての画素Ｐ２）のみを選択的に発光させて構成された第２画像Ｃ１０２が表示されることとなる。これらの２枚の第１画像Ｃ１０１および第２画像Ｃ１０２が、時間的に連続して表示されることで、ユーザには１枚の絵（ベタ画像Ｃ１）として視認される。
【００３７】
図１１は、比較例１の発光ユニットＵ100を用いた時分割駆動により、特定の画像Ｃｋ１を表示する場合の、サブフレーム期間Ｂ１，Ｂ２の各表示画像を模式的に表したものである。このように、１フレーム期間に、特定の表示パターン（キラーパターン）をもつ画像Ｃｋ１を表示する場合、サブフレーム期間Ｂ１では、上半分程度が明るく、下半分程度が暗い第１画像Ｃ１０３が表示される。サブフレーム期間Ｂ２では、上半分程度が暗く、下半分程度が明るい第２画像Ｃ１０４が表示されることとなる。これらの２枚の第１画像Ｃ１０３および第２画像Ｃ１０４が、時間的に連続して表示されることで、ユーザには１枚の絵（画像Ｃｋ１）として視認される。
【００３８】
ところが、第１画像Ｃ１０３および第２画像Ｃ１０４では、上記のように広範囲にわたって明るい部分（表示部分，発光部分）および暗い部分（非表示部分，消灯部分）が生じ、これらの部分がサブフレーム間で近接する。換言すると、第１画像Ｃ１０３と第２画像Ｃ１０４とを重ね合わせたときに、各画像の明るい部分同士または暗い部分同士が部分的に近づく、接する、あるいは重畳する。このような第１画像Ｃ１０３と第２画像Ｃ１０４とを時間的に連続して表示すると、ユーザが目（視線）を例えば上から下へ向かって動かした時などに、それらの明るい部分同士が網膜上で重なり、実際よりも（画像Ｃｋ１よりも）２倍程度輝度の明るい表示（例えば、行方向に沿って帯状に明るくなる部分または暗くなる部分）として視認されてしまう。逆に、ユーザが目（視線）を例えば下から上へ向かって動かした時は、暗い部分同士が網膜上で重なり、黒い帯が視認されてしまう。
【００３９】
これに対し、本実施の形態では、上述のように、２つの画素Ｐ１，Ｐ２の組が発光ユニットＵを構成し、複数の発光ユニットＵが、画素Ｐ１，Ｐ２の発光順序の異なる２種類の発光ユニットＵ１１，Ｕ１２を含んでいる。また、これらの発光ユニットＵ１１，Ｕ１２を組み合わせた単位配列Ｇ１の繰り返しによって表示領域１０Ａが構成されている。
【００４０】
図１２は、本実施の形態の単位配列Ｇ１を用いた時分割駆動により、特定の画像（画像Ｃｋ１）を表示する場合の、サブフレーム期間Ｂ１，Ｂ２の各表示画像を模式的に表したものである。このように、本実施の形態では、キラーパターンとなり得る画像Ｃｋ１を表示する場合、サブフレーム期間Ｂ１では、第１画像Ｃ１３が、サブフレーム期間Ｂ２では、第２画像Ｃ１４が、それぞれ表示されることとなる。これらの第１画像Ｃ１３および第２画像Ｃ１４間では、広範囲にわたって明るい部分同士あるいは暗い部分同士が近接しない。換言すると、第１画像Ｃ１３と第２画像Ｃ１４とはいずれも、発光画素と消灯画素とが適度に離散して配置されており、広範囲にわたって発光画素の偏りあるいは消灯画素の偏りは生じない。したがって、上記比較例１の時分割駆動では局所的に明るい部分または暗い部分が視認されるような画像Ｃｋ１を表示する場合にも、本実施の形態の単位配列Ｇ１を用いた時分割駆動では、そのような部分が視認されにくい。
【００４１】
但し、上記のような特定の表示パターン（キラーパターン）は数多く存在する。本実施の形態の単位配列Ｇ１を用いた時分割駆動においても、別の表示パターンを持つ特定の画像を表示する場合には、局所的に明るいまたは暗い部分が視認されてしまうこともある。例えば図１３に示したような特定の画像Ｃｋ２を表示する場合には、サブフレーム期間Ｂ１において明るい部分および暗い部分を含む第１画像Ｃ１５が、サブフレーム期間Ｂ２において明るい部分および暗い部分を含む第２画像Ｃ１６が、それぞれ表示されることとなる。このため、これらの第１画像Ｃ１５および第２画像Ｃ１６を時間的に連続して表示すると、局所的に明るい部分または暗い部分が視認される。このように、本実施の形態の単位配列Ｇ１を用いた時分割駆動においても、キラーパターンは存在する。しかしながら、上記の画像Ｃｋ１の表示頻度に比べ、画像Ｃｋ２の表示頻度は極めて少ないものであるため、実用上問題になることは少ない。したがって、単位配列Ｇ１を用いることで、比較例１に比べ、ユーザの視認性に影響を与えるようなキラーパターンとなる画像を減らし、視認性に影響を与える確率を低くすることができる。
【００４２】
以上のように本実施の形態では、１フレーム期間において所定の順序で発光する２以上の画素Ｐの組（画素Ｐ１，Ｐ２）が発光ユニットＵとして複数設けられ、これら複数の発光ユニットＵが、発光順序が互いに異なる２種以上の発光ユニット（発光ユニットＵ１１，Ｕ１２）を含む。また、本実施の形態では、これらの発光ユニットＵ１１，Ｕ１２を複数組み合わせて単位配列Ｇ１が構成される。これにより、特定の画像（例えば、画像Ｃｋ１）を時分割駆動で表示した場合に、サブフレーム間において、明るい部分同士または暗い部分同士が、広範囲において近接して表示されにくい。仮に、サブフレーム間において明るい部分同士または暗い部分同士が広範囲にわたって近接すると、ユーザの視線が特定の方向に沿って動いたときなどに、それらの部分同士が重なり、局所的に明るい部分または暗い部分となって視認される。本実施の形態では、上記のように、サブフレーム間において明るい部分同士または暗い部分同士が、広範囲において近接して表示されにくいことから、局所的に明るい部分または暗い部分が視認されることを抑制できる。よって、時分割駆動による画像表示において表示品位を高めることが可能となる。
【００４３】
次に、上記第１の実施の形態の他の実施の形態について説明する。以下では、上記第１の実施の形態と同様の構成要素については同一の符号を付し、適宜説明を省略する。以下の実施の形態では、発光ユニットＵおよび単位配列の構成が上記第１の実施の形態と異なるものであり、駆動回路２０を含むその他の構成については、上記第１の実施の形態と同様である。
【００４４】
＜第２の実施の形態＞
図１４Ａは、本開示の第２の実施の形態の表示装置における画素配列と時分割発光における発光順序を模式的に示したものである。図１４Ｂは、図１４Ａに示した単位配列の詳細を示したものである。これらの図において、画素内に示した数字は、１フレーム期間内の発光順序を表している。「１」は、１フレーム期間内の１番目（１つ目のサブフレームで）、「２」は、１フレーム期間内の２番目（２つ目のサブフレームで）、「３」は、１フレーム期間内の３番目（３つ目のサブフレームで）、「４」は、１フレーム期間内の４番目（４つ目のサブフレームで）、それぞれ発光駆動されることを表している。
【００４５】
本実施の形態では、発光ユニットＵが４画素構成であり、即ち１フレーム期間が４分割され、発光ユニットＵ内の４つの画素が所定の順序で発光するように駆動される。例えば、２行２列で（２×２の領域に）配置された４つの画素（画素Ｐ１，Ｐ２，Ｐ３，Ｐ４）を、発光ユニットＵとして、この発光ユニットＵが複数配置されている。２行２列の画素Ｐのうち、左上に配置された画素Ｐを画素Ｐ１、右上に配置された画素Ｐを画素Ｐ２、右下に配置された画素Ｐを画素Ｐ３、左下に配置された画素Ｐを画素Ｐ４とする。
【００４６】
これらの発光ユニットＵは、１フレーム期間における画素Ｐ１〜Ｐ４の発光順序が互いに異なる複数種類の発光ユニットを含んでいる。ここでは、図１４Ｂに示したように、各発光ユニットＵは、例えば、画素Ｐ１，Ｐ２，Ｐ３，Ｐ４の順に発光駆動される発光ユニット（発光ユニットＵ２１）と、画素Ｐ３，Ｐ４，Ｐ１，Ｐ２の順に発光駆動される発光ユニット（発光ユニットＵ２２）と、画素Ｐ２，Ｐ３，Ｐ４，Ｐ１の順に発光駆動される発光ユニット（発光ユニットＵ２３）と、画素Ｐ４，Ｐ１，Ｐ２，Ｐ３の順に発光駆動される発光ユニット（発光ユニットＵ２４）と、のうちのいずれかからなる。
【００４７】
本実施の形態の表示領域では、単位配列Ｇ２が繰り返し複数配置されている。単位配列Ｇ２は、発光ユニットＵ２１〜Ｕ２４をそれぞれ、１または複数組み合わせて構成されている。一例としては、図１４Ｂに示したように、単位配列Ｇ２は、発光ユニットＵ２１〜Ｕ２４をそれぞれ１つずつ組み合わせた、４×４の画素から構成されている。但し、単位配列Ｇ２は、この構成に限定されるものではなく、発光ユニットＵの種類（発光順序のパターン）およびそれらの組み合わせに応じて様々な構成をとりうる。また、発光ユニットＵの画素数、単位配列Ｇ１の画素数も例示したものに限定されず、表示パネル１０のサイズや精細度などに応じて適切なものが選択されればよい。
【００４８】
次に、本実施の形態の単位配列Ｇ２を用いた時分割発光動作について説明する。図１５は、単位配列Ｇ２を用いた時分割発光動作を説明するための模式図であり、画素Ｐの発光状態および消灯状態を時系列で表している。図１５において、「Ｂ１」は、１フレーム期間における１番目のサブフレーム期間、「Ｂ２」は２番目のサブフレーム期間、「Ｂ３」は３番目のサブフレーム期間、「Ｂ４」は４番目のサブフレーム期間をそれぞれ示す。
【００４９】
本実施の形態では、サブフレーム期間Ｂ１では、発光ユニットＵ２１において画素Ｐ１（左上の画素）を発光駆動し、画素Ｐ２〜Ｐ４（右上，右下，左下の画素）を非発光状態（消灯状態）とする。発光ユニットＵ２２では、画素Ｐ３（右下の画素）を発光駆動し、画素Ｐ１，Ｐ２，Ｐ４（左上，右上，左下の画素）を非発光状態とする。発光ユニットＵ２３では、画素Ｐ２（右上の画素）を発光駆動し、画素Ｐ３，Ｐ４，Ｐ１（右下，左下，左上の画素）を非発光状態（消灯状態）とする。発光ユニットＵ２４では、画素Ｐ４（左下の画素）を発光駆動し、画素Ｐ１〜Ｐ３（左上，右上，右下の画素）を非発光状態（消灯状態）とする。同様にして、サブフレーム期間Ｂ２，Ｂ３，Ｂ４において、発光ユニットＵ２１〜Ｕ２４のそれぞれにおいて、所定の順序で画素Ｐ１〜Ｐ４が発光駆動される。
【００５０】
図１６は、ベタ画像Ｃ１を、単位配列Ｇ２を用いた時分割駆動により表示する場合の、サブフレーム期間Ｂ１〜Ｂ４の各表示画像を模式的に表したものである。このように、１フレーム期間にベタ画像Ｃ１を表示する場合、サブフレーム期間Ｂ１では、「１」が示された画素Ｐのみを選択的に発光させて構成された第１画像Ｃ１７が表示される。サブフレーム期間Ｂ２では、「２」が示された画素Ｐのみを選択的に発光させて構成された第２画像Ｃ１８が表示される。同様に、サブフレーム期間Ｂ３では、「３」が示された画素Ｐのみを選択的に発光させて構成された第３画像Ｃ１９が表示され、サブフレーム期間Ｂ４では、「４」が示された画素Ｐのみを選択的に発光させて構成された第４画像Ｃ２０が表示される。これらの４枚の第１画像Ｃ１７，第２画像Ｃ１８，第３画像Ｃ１９および第４画像Ｃ２０が、時間的に連続して表示されることで、ユーザには１枚の絵（ベタ画像Ｃ１）として視認される。
【００５１】
（比較例２）
ここで、本実施の形態の比較例（比較例２）について説明する。図１７Ａは、比較例２に係る表示装置の画素配列と時分割発光における発光順序を表したものである。図１７Ｂは、比較例２の発光ユニット（発光ユニットＵ101）を抜き出して示したものである。このように、比較例２では、本実施の形態と同様、４つの画素Ｐ１〜Ｐ４により発光ユニットＵ101が構成されると共に、サブフレーム期間Ｂ１〜Ｂ４にわたって時分割発光が行われる。但し、比較例２では、本実施の形態と異なり、画素Ｐ１〜Ｐ４の発光順序が、全ての発光ユニットＵ101において同じとなっている。
【００５２】
図１８は、比較例２の発光ユニットＵ101を有する表示装置の時分割発光動作を説明するための模式図であり、画素Ｐの発光状態および消灯状態を時系列で表している。このように、比較例２では、サブフレーム期間Ｂ１では、発光ユニットＵ101において画素Ｐ１（左上の画素）を発光駆動し、画素Ｐ２〜Ｐ４（右上，右下，左下の画素）を非発光状態（消灯状態）とする。同様に、サブフレーム期間Ｂ２では画素Ｐ２（右上の画素）のみを、サブフレーム期間Ｂ３では画素Ｐ３（右下の画素）のみを、サブフレーム期間Ｂ４では画素Ｐ４（左下の画素）のみを、それぞれ選択的に発光駆動する。
【００５３】
図１９は、この比較例２の発光ユニットＵ101を用いた時分割駆動により、ベタ画像Ｃ１を表示する場合の、サブフレーム期間Ｂ１〜Ｂ４の各表示画像を模式的に表したものである。このように、比較例２において、１フレーム期間にベタ画像Ｃ１を表示する場合、サブフレーム期間Ｂ１では、「１」が示された画素Ｐ（即ち全ての画素Ｐ１）のみを選択的に発光させて構成された第１画像Ｃ１０５が表示される。サブフレーム期間Ｂ２では、「２」が示された画素Ｐ（即ち全ての画素Ｐ２）のみを選択的に発光させて構成された第２画像Ｃ１０６が表示される。サブフレーム期間Ｂ３では、「３」が示された画素Ｐ（即ち全ての画素Ｐ３）のみを選択的に発光させて構成された第３画像Ｃ１０７が表示される。サブフレーム期間Ｂ４では、「４」が示された画素Ｐ（即ち全ての画素Ｐ４）のみを選択的に発光させて構成された第４画像Ｃ１０８が表示される。これらの４枚の第１画像Ｃ１０５〜第４画像Ｃ１０８が、時間的に連続して表示されることで、ユーザには１枚の絵（ベタ画像Ｃ１）として視認される。
【００５４】
図２０は、比較例２の発光ユニットＵ101を用いた時分割駆動により、特定の画像（画像Ｃｋ３）を表示する場合の、サブフレーム期間Ｂ１〜Ｂ４の各表示画像を模式的に表したものである。このように、１フレーム期間に、特定の表示パターン（キラーパターン）をもつ画像Ｃｋ３を表示する場合、サブフレーム期間Ｂ１では、左半分程度が明るく、右半分程度が暗い第１画像Ｃ１０９が表示される。サブフレーム期間Ｂ２では、左半分程度が暗く、右半分程度が明るい第２画像Ｃ１１０が表示される。サブフレーム期間Ｂ３，Ｂ４では、全面において暗い第３画像Ｃ１１１，第４画像Ｃ１１２が表示される。これらの４枚の第１画像Ｃ１０９〜第４画像Ｃ１１２が、時間的に連続して表示されることで、ユーザには１枚の絵（画像Ｃｋ３）として視認される。
【００５５】
ところが、第１画像Ｃ１０９〜第４画像Ｃ１１２では、上記のように広範囲にわたって明るい部分または暗い部分が生じ、これらの部分がサブフレーム間で近接する。このような第１画像Ｃ１０９〜第４画像Ｃ１１２を時間的に連続して表示されると、ユーザが目（視線）を例えば左から右へ向かって動かした時などに、上述したような理由から、局所的に明るい部分（輝度が２倍程度となる部分）または暗い部分が視認されてしまう。
【００５６】
これに対し、本実施の形態では、上述のように、４つの画素Ｐ１〜Ｐ４の組が発光ユニットＵを構成し、複数の発光ユニットＵが、画素Ｐ１〜Ｐ４の発光順序の異なる４種類の発光ユニットＵ２１〜Ｕ２４を含んでいる。また、これらの発光ユニットＵ２１〜Ｕ２４を組み合わせた単位配列Ｇ２の繰り返しによって表示領域が構成されている。
【００５７】
図２１は、本実施の形態の単位配列Ｇ２を用いた時分割駆動により、特定の画像（画像Ｃｋ３）を表示する場合の、サブフレーム期間Ｂ１〜Ｂ４の各表示画像を模式的に表したものである。このように、本実施の形態では、キラーパターンとなり得る画像Ｃｋ３を表示した場合、サブフレーム期間Ｂ１では、第１画像Ｃ２１が、サブフレーム期間Ｂ２では、第２画像Ｃ２２が、サブフレーム期間Ｂ３では、第３画像Ｃ２３が、サブフレーム期間Ｂ４では、第４画像Ｃ２４が、それぞれ表示されることとなる。これらの第１画像Ｃ２１，第２画像Ｃ２２，第３画像Ｃ２３および第４画像Ｃ２４間では、広範囲にわたって明るい部分同士あるいは暗い部分同士が近接しない。換言すると、第１画像Ｃ２１，第２画像Ｃ２２，第３画像Ｃ２３および第４画像Ｃ２４はいずれも、発光画素と消灯画素とが適度に離散して配置されており、広範囲にわたって発光画素の偏りあるいは消灯画素の偏りは生じない。したがって、上記比較例２の時分割駆動においてキラーパターンとなる得る画像Ｃｋ３を表示する場合にも、本実施の形態の単位配列Ｇ２を用いた時分割駆動では、そのような部分が視認されにくい。
【００５８】
但し、上述のように、特定の表示パターン（キラーパターン）は数多く存在する。本実施の形態の単位配列Ｇ２を用いた時分割駆動においても、別の表示パターンを持つ特定の画像を表示する場合には、局所的に明るいまたは暗い部分が視認されてしまうこともある。例えば図２２に示したような特定の画像Ｃｋ４を表示する場合には、サブフレーム期間Ｂ１において明るい部分および暗い部分を含む第１画像Ｃ２５が、サブフレーム期間Ｂ２において全面が暗くなる第２画像Ｃ２６が、それぞれ表示される。また、サブフレーム期間Ｂ３では、明るい部分および暗い部分を含む第３画像Ｃ２７が、サブフレーム期間Ｂ４では、全面が暗くなる第４画像Ｃ２８が、それぞれ表示される。このため、これらの第１画像Ｃ２５、第２画像Ｃ２６、第３画像Ｃ２７および第４画像Ｃ２８が、時間的に連続して表示されると、局所的に明るい部分または暗い部分が視認される可能性がある。このように、本実施の形態の単位配列Ｇ２を用いた時分割駆動においても、キラーパターンは存在する。しかしながら、上記の画像Ｃｋ３の表示頻度に比べ、画像Ｃｋ４の表示頻度は極めて少ないものである。したがって、単位配列Ｇ２を用いることで、比較例２に比べ、ユーザの視認性に影響を与えるようなキラーパターンとなる画像を減らし、視認性に影響を与える確率を低くすることができる。
【００５９】
以上のように本実施の形態では、１フレーム期間において所定の順序で発光する２以上の画素Ｐの組（画素Ｐ１〜Ｐ４）が発光ユニットＵとして複数設けられ、これら複数の発光ユニットＵが、発光順序が互いに異なる２種以上の発光ユニット（発光ユニットＵ２１〜Ｕ２４）を含む。また、本実施の形態では、これらの発光ユニットＵ２１〜Ｕ２４を組み合わせて単位配列Ｇ２が構成される。これにより、特定の画像（例えば、画像Ｃｋ３）を時分割駆動で表示した場合に、サブフレーム間において、明るい部分同士または暗い部分同士が、広範囲において近接して表示されにくい。よって、上記第１の実施の形態と同等の効果を得ることができる。
【００６０】
＜第３の実施の形態＞
図２３Ａは、本開示の第３の実施の形態の表示装置における画素配列と時分割発光における発光順序を模式的に示したものである。図２３Ｂは、図２３Ａに示した単位配列の詳細を示したものである。これらの図において、画素内に示した数字は、１フレーム期間内の発光順序を表している。「１」は、１フレーム期間内の１番目（１つ目のサブフレームで）、「２」は、１フレーム期間内の２番目（２つ目のサブフレームで）、「３」は、１フレーム期間内の３番目（３つ目のサブフレームで）、「４」は、１フレーム期間内の４番目（４つ目のサブフレームで）、それぞれ発光駆動されることを表している。
【００６１】
本実施の形態においても、上記第２の実施の形態と同様、発光ユニットＵが４画素構成であり、即ち１フレーム期間が４分割され、発光ユニットＵ内の４つの画素が所定の順序で発光するように駆動される。例えば、２行２列で（２×２の領域に）配置された４つの画素（画素Ｐ１〜Ｐ４）を、発光ユニットＵとして、この発光ユニットＵが複数配置されている。また、これらの発光ユニットＵは、１フレーム期間における画素Ｐ１〜Ｐ４の発光順序が互いに異なる複数種類の発光ユニットを含んでいる。
【００６２】
但し、本実施の形態では、上記第２の実施の形態と異なり、単位配列Ｇ３が２種類の発光ユニット（発光ユニットＵ３１，Ｕ３２）により構成されている。具体的には、図２３Ｂに示したように、各発光ユニットＵは、画素Ｐ１，Ｐ２，Ｐ３，Ｐ４の順に発光駆動される発光ユニット（発光ユニットＵ３１）と、画素Ｐ３，Ｐ４，Ｐ１，Ｐ２の順に発光駆動される発光ユニット（発光ユニットＵ３２）と、のうちのいずれかからなる。
【００６３】
本実施の形態の単位配列Ｇ３は、発光ユニットＵ３１と発光ユニットＵ３２とを行方向に並べたものである。発光ユニットＵ３１と発光ユニットＵ３２とをそれぞれ１つずつ組み合わせて、２×４の画素からなる単位配列Ｇ３が構成されている。
【００６４】
次に、本実施の形態の単位配列Ｇ３を用いた時分割発光動作について説明する。図２４は、単位配列Ｇ３を用いた時分割発光動作を説明するための模式図であり、画素Ｐの発光状態および消灯状態を時系列で表している。図２３において、「Ｂ１」は、１フレーム期間における１番目のサブフレーム期間、「Ｂ２」は２番目のサブフレーム期間、「Ｂ３」は３番目のサブフレーム期間、「Ｂ４」は４番目のサブフレーム期間をそれぞれ示す。
【００６５】
本実施の形態では、サブフレーム期間Ｂ１では、発光ユニットＵ３１において画素Ｐ１（左上の画素）を発光駆動し、画素Ｐ２〜Ｐ４（右上，右下，左下の画素）を非発光状態（消灯状態）とする。発光ユニットＵ３２では、画素Ｐ３（右下の画素）を発光駆動し、画素Ｐ１，Ｐ２，Ｐ４（左上，右上，左下の画素）を非発光状態とする。同様にして、サブフレーム期間Ｂ２，Ｂ３，Ｂ４において、発光ユニットＵ３１，Ｕ３２のそれぞれにおいて、所定の順序で画素Ｐ１〜Ｐ４が発光駆動される。
【００６６】
図２５は、ベタ画像Ｃ１を、発光ユニットＵ３１，Ｕ３２を含む単位配列Ｇ３を用いた時分割駆動により表示する場合の、サブフレーム期間Ｂ１〜Ｂ４の各表示画像を模式的に表したものである。このように、１フレーム期間にベタ画像Ｃ１を表示する場合、サブフレーム期間Ｂ１では、「１」が示された画素Ｐのみを選択的に発光させて構成された第１画像Ｃ２９が表示される。サブフレーム期間Ｂ２では、「２」が示された画素Ｐのみを選択的に発光させて構成された第２画像Ｃ３０が表示される。同様に、サブフレーム期間Ｂ３では、「３」が示された画素Ｐのみを選択的に発光させて構成された第３画像Ｃ３１が表示され、サブフレーム期間Ｂ４では、「４」が示された画素Ｐのみを選択的に発光させて構成された第４画像Ｃ３２が表示される。これらの４枚の第１画像Ｃ２９，第２画像Ｃ３０，第３画像Ｃ３１および第４画像Ｃ３２が、時間的に連続して表示されることで、ユーザには１枚の絵（ベタ画像Ｃ１）として視認される。
【００６７】
図２６は、本実施の形態の単位配列Ｇ３を用いた時分割駆動により、特定の画像（画像Ｃｋ３）を表示する場合の、サブフレーム期間Ｂ１〜Ｂ４の各表示画像を模式的に表したものである。このように、本実施の形態では、キラーパターンとなり得る画像Ｃｋ３を表示した場合、サブフレーム期間Ｂ１では、第１画像Ｃ３３が、サブフレーム期間Ｂ２では、第２画像Ｃ３４が、サブフレーム期間Ｂ３では、第３画像Ｃ３５が、サブフレーム期間Ｂ４では、第４画像Ｃ３６が、それぞれ表示されることとなる。これらの第１画像Ｃ３３，第２画像Ｃ３４，第３画像Ｃ３５および第４画像Ｃ３６では、明るい部分の偏りがあり、この結果、局所的に明るい部分が視認されることがある。但し、このときの輝度は１．５倍程度であることから、比較例２と比べると明るさが軽減される。よって、上記第１および第２の実施の形態と同様に、特定の画像による視認性への影響を軽減することができる。
【００６８】
このように、発光ユニットＵの画素数および発光順序のパターン数は特に限定されないが、発光ユニットＵの画素数および発光順序のパターン数はより多いことが望ましく、これらを組み合わせることで、キラーパターンとなる特定の画像を効果的に減らすことができる。
【００６９】
＜適用例＞
以下、上記実施の形態で説明した表示装置の適用例について説明する。上記実施の形態の表示装置は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００７０】
図２７は、テレビジョン装置の外観を表したものである。このテレビジョン装置は、例えば、フロントパネル３１０およびフィルターガラス３２０を含む映像表示画面部３００を有しており、この映像表示画面部３００は、上記実施の形態等の表示装置１により構成されている。
【００７１】
以上、実施の形態および適用例を挙げて本開示を説明したが、本開示は上記実施の形態等に限定されるものではなく、種々変形が可能である。例えば、上記実施の形態では、４行４列（４×４）あるいは２行４列（２×４）の画素を単位配列として、画素Ｐを配置させた構成について例示したが、単位配列の画素構成は、これらに限定されるものではない。例えば、より少なく、またはより多くの発光ユニットＵを組み合わせて単位配列を構成しても構わない。また、発光ユニットＵの画素構成についても、上述したものに限定されない。画素の高精細化が進むと、上述した１×２および２×２の画素構成に限らず、例えば３×３の画素を発光ユニットＵとすることも可能である。
【００７２】
また、上記実施の形態等では、信号線駆動回路２３、走査線駆動回路２４、電源回路２５の駆動をタイミング生成回路２１および映像信号処理回路２２が制御していたが、他の回路がこれらの駆動を制御するようにしてもよい。また、信号線駆動回路２３、走査線駆動回路２４、電源回路２５の制御は、ハードウェア（回路）で行われていてもよいし、ソフトウェア（プログラム）で行われていてもよい。
【００７３】
また、例えば、本開示は以下のような構成を取ることができる。
（１）
２次元配置されると共に、各々が１または複数の発光素子を含む複数の画素と、
前記複数の画素を時分割で発光駆動する駆動回路と
を備え、
前記複数の画素は、１フレーム期間において所定の発光順序で発光する２以上の画素の組を発光ユニットとして複数有し、
前記複数の発光ユニットは、前記発光順序が互いに異なる２種以上の発光ユニットを含む
表示装置。
（２）
前記２種以上の発光ユニットをそれぞれ、１または複数組み合わせてなる画素配列を単位配列として、前記複数の画素が２次元配置されている
上記（１）に記載の表示装置。
（３）
前記複数の発光ユニットはそれぞれ、２つの画素の組からなる
上記（２）に記載の表示装置。
（４）
前記複数の発光ユニットはそれぞれ、行方向または列方向に沿って隣接して配置された第１および第２の画素を含み、
前記単位配列は、前記第１および第２の画素の発光順序が互いに異なる第１および第２の発光ユニットを複数組み合わせてなる４行４列の画素配列である
上記（２）に記載の表示装置。
（５）
前記複数の発光ユニットはそれぞれ、２行２列で配置された４つの画素の組からなる
上記（２）に記載の表示装置。
（６）
前記複数の発光ユニットはそれぞれ、２行２列で配置された第１ないし第４の画素を含み、
前記単位配列は、前記第１ないし第４の画素の発光順序が互いに異なる第１ないし第４の発光ユニットを組み合わせてなる４行４列の画素配列である
上記（５）に記載の表示装置。
（７）
前記複数の発光ユニットはそれぞれ、２行２列で配置された第１ないし第４の画素を含み、
前記単位配列は、前記第１ないし第４の画素の発光順序が互いに異なる第１および第２の発光ユニットを組み合わせてなる２行４列の画素配列である
上記（５）に記載の表示装置。
（８）
前記画素は、前記発光素子に駆動電流を供給するための画素回路を含み、
前記発光ユニットを構成する２以上の画素の組が１つの前記画素回路を共有する
上記（１）〜（７）のいずれかに記載の表示装置。
（９）
前記複数の画素はそれぞれ、赤色光を発する発光素子と、緑色光を発する発光素子と、青色光を発する発光素子とを含む
上記（１）〜（８）のいずれかに記載の表示装置。
（１０）
２次元配置されると共に、各々が１または複数の発光素子を含む複数の画素と、
前記複数の画素を時分割で発光駆動する駆動回路と
を備え、
前記複数の画素は、１フレーム期間において所定の発光順序で発光する２以上の画素の組を発光ユニットとして複数有し、
前記複数の発光ユニットは、前記発光順序が互いに異なる２種以上の発光ユニットを含む
表示装置を備えた電子機器。
【００７４】
本出願は、日本国特許庁において２０１４年１２月５日に出願された日本特許出願番号第２０１４−２４７０６５号を基礎として優先権を主張するものであり、この出願のすべての内容を参照によって本出願に援用する。
【００７５】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016088467.tif 000003
【図２Ａ】
2016088467.tif 000004
【図２Ｂ】
2016088467.tif 000005
【図３】
2016088467.tif 000006
【図４】
2016088467.tif 000007
【図５】
2016088467.tif 000008
【図６】
2016088467.tif 000009
【図７Ａ】
2016088467.tif 000010
【図７Ｂ】
2016088467.tif 000011
【図８】
2016088467.tif 000012
【図９】
2016088467.tif 000013
【図１０】
2016088467.tif 000014
【図１１】
2016088467.tif 000015
【図１２】
2016088467.tif 000016
【図１３】
2016088467.tif 000017
【図１４Ａ】
2016088467.tif 000018
【図１４Ｂ】
2016088467.tif 000019
【図１５】
2016088467.tif 000020
【図１６】
2016088467.tif 000021
【図１７Ａ】
2016088467.tif 000022
【図１７Ｂ】
2016088467.tif 000023
【図１８】
2016088467.tif 000024
【図１９】
2016088467.tif 000025
【図２０】
2016088467.tif 000026
【図２１】
2016088467.tif 000027
【図２２】
2016088467.tif 000028
【図２３Ａ】
2016088467.tif 000029
【図２３Ｂ】
2016088467.tif 000030
【図２４】
2016088467.tif 000031
【図２５】
2016088467.tif 000032
【図２６】
2016088467.tif 000033
【図２７】
2016088467.tif 000034
【国際調査報告】
2016088467.tif 000035
2016088467.tif 000036
2016088467.tif 000037
2016088467.tif 000038